(57)【要約】【課題】ベース部の設計の自由度の高いスタンド型ＬＥＤ照明器具を提供することを目的とする。【解決手段】ＬＥＤ光源を搭載するＬＥＤ基板４２が配置されたヘッド部４と、ＬＥＤ光源を点灯させる点灯回路を搭載する点灯回路基板４６と、ヘッド部４を支持するアーム部３と、このアーム部３に取り付けられたベース部２とを備えたスタンド型ＬＥＤ照明器具１であって、ヘッド部４には、点灯回路に直流電力を供給させる電源回路４３が配置されている。【選択図】図２
2016091684.tif 000002
【特許請求の範囲】
【請求項１】
ＬＥＤ光源が配置されたヘッド部と、前記ＬＥＤ光源を点灯させる点灯回路と、前記ヘッド部を支持するアーム部と、このアーム部に取り付けられたベース部とを備えたスタンド型ＬＥＤ照明器具であって、
前記ヘッド部には、前記点灯回路に直流電力を供給させる電源回路が配置されている、
ことを特徴とするスタンド型ＬＥＤ照明器具。
【請求項２】
前記ヘッド部は、下方に開口するセードを備え、
前記電源回路と、前記ＬＥＤ光源とが、前記セード内に収納され、
前記セードの上部は、その内側に屈曲して更に折り返されるように形成されることで、二重のリブが形成されるとともにこの二重のリブの間に溝が形成され、この溝の横に、前記電源回路が収納される、
ことを特徴とする請求項１に記載のスタンド型ＬＥＤ照明器具。
【請求項３】
前記リブには、通気孔が形成されている、
ことを特徴とする請求項２に記載のスタンド型ＬＥＤ照明器具。
【請求項４】
前記溝は、平面視において平面視において円状に形成されており、
前記電源回路は、前記セードの内部において、前記リブの内側に配置されている、
ことを特徴とする請求項２又は３に記載のスタンド型ＬＥＤ照明器具。
【請求項５】
前記電源回路と前記ＬＥＤ光源の間には、前記電源回路と前記ＬＥＤ光源の放熱用の空間が形成されている、
ことを特徴とする請求項１から４の何れかに記載のスタンド型ＬＥＤ照明器具。
【請求項６】
前記電源回路を搭載した第１の基板は、前記ＬＥＤ光源を搭載した第２の基板より上に配置され、
前記点灯回路を搭載した第３基板は、前記第１の基板と前記第２の基板との間に配置されている、
ことを特徴とする請求項１から５の何れかに記載のスタンド型ＬＥＤ照明器具。
【発明の詳細な説明】
【技術分野】
【０００１】
本発明は、スタンド型ＬＥＤ照明器具に関し、特に電源回路の配置の仕方を特徴とする。
【背景技術】
【０００２】
従来、特許文献１に示すような、ＬＥＤ光源と、ＬＥＤ光源を点灯させる点灯回路とが配置されたヘッド部と、このヘッド部を支持するアーム部と、このアーム部に取り付けられたベース部とを備えたスタンド型ＬＥＤ照明器具は、広く知られている。スタンド型ＬＥＤ照明器具では、ＬＥＤ光源を点灯させる点灯回路に直流電力を供給するための電源回路が発熱し易い。このため、電源回路を同じく発熱し易いＬＥＤ光源と近接した配置とすれば、ヘッド部が高温になってしまうため、従来のスタンド型ＬＥＤ照明器具では、電源回路をＬＥＤ光源とは離れた位置にあるベース部やアーム部に配置することが多かった。
【先行技術文献】
【特許文献】
【０００３】
【特許文献１】特許第４９７５７７７号
【発明の概要】
【発明が解決しようとする課題】
【０００４】
上記従来のスタンド型ＬＥＤ照明器具では、ベース部やアーム部に電源回路を配置するため、設計に制約が生じていた。例えば、ベース部の形状をクリップ状にする場合には、電源回路を配置するためのスペースをアーム部やベース部に設けなければならないため、スタンド型ＬＥＤ照明器具として使いやすく、コンパクトな設計をすることが難しかった。
【０００５】
そこで、本発明は、ベース部の設計の自由度の高いスタンド型ＬＥＤ照明器具を提供することを目的とする。
【課題を解決するための手段】
【０００６】
（１）上記課題を解決するために、本発明は、ＬＥＤ光源が配置されたヘッド部と、前記ＬＥＤ光源を点灯させる点灯回路と、前記ヘッド部を支持するアーム部と、このアーム部に取り付けられたベース部とを備えたスタンド型ＬＥＤ照明器具であって、前記ヘッド部には、前記点灯回路に直流電力を供給させる電源回路が配置されている、ことを特徴とする。
【０００７】
上記構成によれば、電源回路がヘッド部に配置されており、ベース部に配置されていないため、ベース部やアーム部の設計の自由度が高くなる。
【０００８】
（２）上記ヘッド部は、下方に開口するセードを備え、上記電源回路と、上記ＬＥＤ光源とが、前記セード内に収納され、上記セードの上部は、その内側に屈曲して更に折り返されるように形成されることで、二重のリブが形成されるとともに、この二重のリブの間に溝が形成され、この溝の横に、前記電源回路が収納されていてもよい。
【０００９】
上記構成によれば、二重のリブの間に形成された溝の横に、電源回路が収納されるため、外気に触れる面積が増えることにより、より効果的に電源回路の熱を外気に放熱させることができる。なお、仮に、セードにおける電源回路の収納部位のみを上部に突出させる形状とすることで、電源回路は放熱し易くなるが、セードを何かにぶつけた際に、電源回路が損傷しやすくなるという問題が生じる。上記構成では、二重のリブの間に形成された溝の横に、電源回路が収納されるため、セードにおける収納部位を上部に突出させなくとも、電源回路を外気に十分に触れさせて放熱し易くすることができる。これによって、ヘッド部に電源回路を配置しても、上記問題が生じることなく、ヘッド部が高温になり過ぎることが防止される。
【００１０】
（３）上記リブには、通気孔が形成されていてもよい。
【００１１】
上記構成によれば、リブの通気孔においてセード内の熱が外気に放熱されるので、より効果的に電源回路を冷やすことができる。
【００１２】
（４）上記溝は、平面視において円状に形成されており、上記電源回路は、前記セードの内部において、前記リブの内側に配置されていてもよい。
【００１３】
上記構成によれば、電源回路の周囲にわたって、溝を形成することができ、この溝において電源回路の熱が外気に放熱されるので、電源回路の放熱効果が高くなる。
【００１４】
（５）上記電源回路と上記ＬＥＤ光源の間には、前記電源回路と前記ＬＥＤ光源の放熱用の空間が形成されていてもよい。
【００１５】
上記構成によれば、電源回路とＬＥＤ光源との間の放熱用の空間によって、発熱し易い電源回路と発熱し易いＬＥＤ光源とを離間させて配置させることができるため、電源回路とＬＥＤ光源を放熱させ易くなり、ヘッド部が高温になりすぎることを防止することができる。
【００１６】
（６）上記電源回路を搭載した第１の基板は、上記ＬＥＤ光源を搭載した第２の基板より上に配置され、上記点灯回路を搭載した第３基板は、上記第１の基板と上記第２の基板との間に配置されていてもよい。
【００１７】
上記構成によれば、点灯回路を、発熱し易い電源回路とＬＥＤ光源と別の基板に搭載することで、点灯回路の熱による破損を防止し、更に、点灯回路を電源回路と別の基板に搭載することで、静電気等のサージ電流等の影響を受け難くなる。
更に、第１基板、第２基板及び第３基板を、上下方向に並べて配置することが可能となり、ヘッド部の横寸法を小さくすることができる。
また、アーム部に電源回路に電力を供給するための電線を収納する場合には、電源回路の近傍にアーム部の一端部が配置されるが、ＬＥＤ光源を電源回路よりも上方に配置する場合には、ＬＥＤ光源からの光がアーム部の一端部にさえぎられないようにするために、アーム部の一端部がＬＥＤ光源の下に位置しないように配置する必要があり、ヘッド部にアーム部の一端部を深く挿入できず、コンパクトな設計がし難かった。上記構成では、ＬＥＤ光源が電源回路よりも下に配置するため、アーム部の一端部がＬＥＤ光源の下に位置することがないため、コンパクトな設計が可能になる。
【図面の簡単な説明】
【００１８】
【図１】スタンド型ＬＥＤ照明器具の正面図である。
【図２】スタンド型ＬＥＤ照明器具のＡ―Ａ線断面図である。
【図３】図２のヘッド部分の拡大図である。
【図４】スタンド型ＬＥＤ照明器具の斜視図である。
【図５】ヘッド部のセードを除いた状態のスタンド型ＬＥＤ照明器具の斜視図である。
【図６】ヘッド部のセード、アーム部、ベース部、透光防止板、反射板、及び拡散板を除いた状態のスタンド型ＬＥＤ照明器具の斜視図である。
【発明を実施するための形態】
【００１９】
以下に、図面を用いて本発明の一実施形態にかかるスタンド型ＬＥＤ照明器具について説明する。
【００２０】
（スタンド型ＬＥＤ照明器具の特徴）
以下に、図１、図２及び図６を用いて、本発明の一実施形態にかかるスタンド型ＬＥＤ照明器具の特徴を説明する。図１は、スタンド型ＬＥＤ照明器具の正面図である。図２は、スタンド型ＬＥＤ照明器具のＡ―Ａ線断面図である。図６は、ヘッド部のセード、アーム部、ベース部、透光防止板、反射板、及び拡散板を除いた状態のスタンド型ＬＥＤ照明器具の斜視図である。なお、本実施形態において、図１における上方を、スタンド型ＬＥＤ照明器具の「上方」、図１における下方をスタンド型ＬＥＤ照明器具の「下方」、図１における右方をスタンド型ＬＥＤ照明器具の「右方」、図１における左方をスタンド型ＬＥＤ照明器具の「左方」、図１における奥をスタンド型ＬＥＤ照明器具の「後方」、図１における手前をスタンド型ＬＥＤ照明器具の「前方」として説明する。
【００２１】
図２を参照して、本実施形態にかかるスタンド型ＬＥＤ照明器具１は、ＬＥＤ光源４２１（図６）が配置されたヘッド部４と、ＬＥＤ光源４２１を点灯させる点灯回路（点灯回路基板４６に配置）と、ヘッド部４を支持するアーム部３と、このアーム部３に取り付けられたベース部２とを備えている。ヘッド部４には、点灯回路基板４６の点灯回路に直流電力を供給させる電源回路４３が配置されている。この構成によれば、電源回路４３がヘッド部４に配置されており、ベース部２に配置されていないため、ベース部２の設計の自由度が高くなる。
【００２２】
上記ヘッド部４は、下方に開口する椀状のセード４１を備え、上記電源回路４３と、ＬＥＤ光源４２１とが、セード４１内に収納され、セード４１の上部は、その内側に屈曲して更に折り返されるように形成されることで、二重のリブ４５１が形成されるとともにこの二重のリブ４５１の間に溝４５が形成され、この溝４５の横に、電源回路４３が収納されている。
【００２３】
上記構成によれば、二重のリブ４５１の間に形成された溝４５の横に、電源回路４３が収納されるため、溝４５から外気へと、電源回路４３の熱を放熱させることができる。なお、仮に、セード４１における電源回路４３の収納部位のみを上部に突出させる形状とすると、電源回路４３は放熱し易くなるが、セード４１を何かにぶつけた際に、電源回路４３が損傷しやすくなるという問題が生じる。上記構成では、二重のリブ４５１の間に形成された溝４５の横に、電源回路４３が収納されるため、セード４１における収納部位を上部に突出させなくとも、電源回路４３を外気に十分に触れさせて放熱し易くすることができる。これによって、ヘッド部４に電源回路４３を配置しても、上記問題を生じさせずに、ヘッド部４が高温になり過ぎることが防止される。
【００２４】
上記リブ４５１には、スリット４５２（通気孔）が形成されている。この構成によれば、リブ４５１のスリット４５２においてセード４１内の熱が外気に放熱されるので、電源回路４３を冷やすことができる。
【００２５】
上記溝４５は、平面視において円状に形成されており、上記電源回路４３は、セード４１の内部において、リブ４５１の内側に配置されている。この構成によれば、電源回路４３の周囲にわたって、溝４５を形成することができるので、溝４５から熱が外気に逃げていくので、電源回路４３の放熱効果が高くなる。
【００２６】
電源回路４３と上記ＬＥＤ光源４２１の間には、電源回路４３とＬＥＤ光源４２１の放熱用の空間４４が形成されている。この構成によれば、電源回路４３とＬＥＤ光源４２１との間の放熱用の空間４４によって、発熱し易い電源回路４３と発熱し易いＬＥＤ光源４２１とを離間させることで、電源回路４３とＬＥＤ光源４２１とを放熱させ易くして、ヘッド部４が高温になりすぎることを防止することができる。
【００２７】
電源回路４３を搭載した電源回路基板４３１は、ＬＥＤ光源４２１を搭載したＬＥＤ基板４２より上に配置され、点灯回路を搭載した点灯回路基板４６は、電源回路基板４３１とＬＥＤ基板４２との間に配置されている。
【００２８】
上記構成によれば、点灯回路を、発熱し易い電源回路４３とＬＥＤ光源４２１と別の基板に搭載することで、点灯回路の熱による破損を防止し、更に、点灯回路を電源回路４３と別の基板に搭載することで、静電気等のサージ電流等の影響を受け難くなる。また、アーム部３に電源回路４３に電力を供給するための電線を収納する場合には、電源回路４３の近傍にアーム部３の一端部が配置されるが、ＬＥＤ光源４２１を電源回路４３よりも上方に配置する場合には、ＬＥＤ光源４２１からの光がアーム部３の一端部でさえぎられないようにするために、アーム部３の一端部をＬＥＤ光源４２１の下に位置しないように配置しなければならず、ヘッド部４にアーム部３の一端部を深く挿入することができなくなり、コンパクトな設計がし難くなる。上記構成では、ＬＥＤ光源４２１が電源回路４３よりも下に配置するため、アーム部３の一端部がＬＥＤ光源４２１の下に位置することがないため、コンパクトな設計が可能になる。
【００２９】
（スタンド型ＬＥＤ照明器具の構成）
以下に図１から図６を参照して、スタンド型ＬＥＤ照明器具１（以下、ＬＥＤ照明器具１と記載する）の構成について詳細に説明する。スタンド型ＬＥＤ照明器具１は、半球状のヘッド部４と、このヘッド部４の側部における後側に一端が取り付けられ、上下方向に延びる棒状のアーム部３と、このアーム部３の他端に取り付けられ、アーム部３を支持するベース部２とを備える。以下に、ベース部２、アーム部３、ヘッド部４の構成を説明する。
【００３０】
（ＬＥＤ照明器具の構成：ベース部２）
ベース部２は、上面の中央が盛り上がった円盤状の台座であり、その下面が机等のＬＥＤ照明器具１の配置対象に設置される。なお、ベース部２は、当該構成に限定されず、ベッドや机のフレームに挟み込むクリップ部材等であってもよい。ベース部２は、アーム部３の内部に連通する内部空間が形成されている。ベース部２には、その後部にＡＣコネクタ２２に接続された電源コード２１の一端が接続されており、電源コード２１からの電線が、ベース部２の内部空間を通って、アーム部３の内部に挿入されるようになっている。
【００３１】
（ＬＥＤ照明器具の構成：アーム部３）
アーム部３は、円筒状の棒状態であり、ベース部２の内部空間を通った、電源コード２１からの電線をその内部に挿入させる。アーム部３は、本実施形態では、可撓性を有し、アーム部３を曲げることで、ヘッド部４の位置をユーザ所望の位置に配置することができるようになっている。もっとも、アーム部３は、可撓性を有しなくてもよい。
【００３２】
（ＬＥＤ照明器具の構成：ヘッド部４）
ヘッド部４は、下方に開口する椀状のセード４１（例えば可視光を透過しない樹脂材料により形成されている）の内部に、ＬＥＤ光源４２１が下面に配置されたＬＥＤ基板４２、点灯回路を搭載した点灯回路基板４６、及び電源回路４３を搭載した電源回路基板４３１が、下から上にこの順番に配置された構成を有する。本実施形態では、電源回路４３をヘッド部４に配置しているため、ベース部２やアーム部３の設計の自由度を高めることができる。例えば、ベース部２をクリップやクランプにした場合に、アーム部２やベース部３を大きくする必要がないため、使いやすくコンパクトなスタンド型ＬＥＤ照明器具を提供することができる。
【００３３】
電源回路基板４３１は、円盤状であり、その下面に電源回路４３を搭載する。電源回路４３は、アーム部３の内部を通った、電源コード２１からの電線が接続されており（図略）、外部の電源からの交流を直流に変換するするＡＣ／ＤＣコンバータを有する。なお、電源回路４３は、その下部が円盤状の蓋４３Ａにカバーされており、この蓋４３Ａには、蓋４３Ａの下面から上面に貫通する穴部４３１１、４３１２が形成されている。この穴部４３１２に対して下から上に、アーム部３を通った電線の一端が挿入されて、この電線の一端が電源回路４３に接続される（図略）。また、穴部４３１１に対して、上から下に電源回路４３からの電線の一端が挿入されて、この電線の一端が点灯回路基板４６の点灯回路に接続され（図略）、これによって、電源回路４３からの直流電力が点灯回路に供給される。
【００３４】
電源回路基板４３１は、セード４１の内部における上部に収納される。ここで、電源回路基板４３１の収納構造を詳細に説明する。図４で示すように、セード４１の上部における平面視で略中央の位置に、下方向に内側に向かって屈曲して下端で折り返されて二重に形成されたリブ４５１が平面視で円状に形成されている。この二重のリブ４５１における内側のリブ４５１Ａと、外側のリブ４５１Ｂとは、隙間を空けて配置され、これによって、内側のリブ４５１Ａと外側のリブ４５１Ｂとの間に放熱用の溝４５が形成されている。また、内側のリブ４５１Ａの内部には、電源回路基板４３１と電源回路４３とが配置される。なお、セード４１の上部における内側のリブ４５１Ａより内側の位置に、電源回路基板４３１がビス等で固着されることで、内側のリブ４５１Ａの内部に電源回路基板４３１と電源回路４３とが取り付けられることになっている。これによって、二重のリブ４５１の間の溝４５から、発熱し易い電源回路４３の熱を外気に放熱させ、冷却することができるようになっている。なお、リブ４５１は、その下端が電源回路４３の下側まで至るように形成されており、電源回路４３の側部にわたって、外気へ放熱させることにより冷却することが出来るようになっている。
【００３５】
更に、外側のリブ４５１Ｂには上下方向に延びる複数のスリット（貫通孔）４５２が等間隔で外側のリブ４５１Ｂに亘って形成されており、これによって、電源回路４３の側部の周囲において、電源回路４３の熱を外気に放熱させることができ、放熱効果が高くなる。なお、内側のリブ４５１Ａには、複数のスリット４５２が形成されていないので、電源回路４３にセード４１の外部からのダストが付着することが防止される。
【００３６】
更に、椀状のセード４１の内側に、二重のリブ４５１を形成して、このリブ４５１内に電源回路４３を収納する構成であるため、セード４１をぶつける等した場合に電源回路４３に与える衝撃を少なくすることができる。より具体的に説明すると、仮に、セード４１の上部を上方に突出させて、この突出部に電源回路４３を収納すれば、外気によって電源回路４３が冷却され易くなるが、このような構成とすれば、セード４１をぶつけた場合に、電源回路４３に与える衝撃が大きく電源回路４３が破損し易くなる。本実施形態では、この様な電源回路４３の破損を防ぎながら、電源回路４３を冷却することができる。
【００３７】
点灯回路基板４６は、蓋４３Ａの下方に配置される。点灯回路基板４６の上面には、点灯回路が搭載されている。点灯回路は、電源回路４３から直流電力が供給されるとともに、静電容量式センサ４１１が接続される。セード４１の外面における静電容量式センサ４１１の上方の位置には、タッチ領域４１２が設けられ、そのタッチ領域４１２の内面には金属箔（図略）が取り付けられている。点灯回路は、タッチ領域４１２の指等のタッチによる、金属箔と静電容量式センサ４１１との間の静電容量の変化を検知して、ＬＥＤ光源４２１を点灯させる。なお、タッチ領域４１２のタッチの回数によって、ＬＥＤ光源４２１の階調制御も行う。
【００３８】
ＬＥＤ基板４２は、点灯回路基板４６の下方に配置されている。ＬＥＤ基板４２は、その下面に複数個のＬＥＤ光源４２１（図６）が搭載されており、このＬＥＤ光源４２１は、点灯回路基板４６における点灯回路に接続され、上述したように、点灯回路によって点灯制御及び階調制御がなされるようになっている。
【００３９】
ＬＥＤ基板４２は、電源回路４３と所定の間隔（例えば、上下方向で２ｍｍ以上１５ｍｍ以下の間隔）を空けて配置されている。なお、絶縁性を考慮して、所定の間隔が２ｍｍ以上であることが好ましい。この所定の間隔によって、ＬＥＤ基板４２と電源回路４３との間に放熱用の空間４４が形成されるようになっている。上述したように電源回路４３は発熱し易いが、ＬＥＤ光源４２１も発熱し易い。これらの発熱し易い部材を近接して配置すると、これらの部材が放熱され難くなるが、本実施形態では、これらの部材の間に放熱用の空間４４が形成されているため、ＬＥＤ光源４２１と電源回路４３との放熱をし易くすることができる。
【００４０】
また、本実施形態では、放熱用の空間４４は、セード４１の二重のリブ４５１における外側のリブ４５１Ｂの横に到るまで形成されている。上述したように、二重のリブ４５１における外側のリブ４５１Ｂには、熱を外気へと逃がすためのスリット４５２が形成されている。これによって、放熱用の空間４４から、熱が放熱されて、外気によって効果的に電源回路４３とＬＥＤ光源４２１を冷却することができる。
【００４１】
ＬＥＤ基板４２の下方には、透光防止板４７と反射板４８とが、反射板４８が下方になるように、重ねて配置されており、反射板４８の下方に、拡散板４９が配置されている。透光防止板４７は、黒色の円盤状の部材であり、光を透過させない部材である。透光防止板４７は、その中央部における、ＬＥＤ光源４２１の直下の位置に穴部が形成されている。反射板４８は、白色の円盤状の部材であり、光を反射する部材である。反射板４８は、その中央部における、ＬＥＤ光源４２１の直下の位置に穴部が形成されている。拡散板４９は、球面状の半透明の部材であり、反射板４８と所定の間隔を空けて配置され、これによって、拡散板４９と反射板４８との間に光の拡散領域が形成される。拡散板４９で反射したＬＥＤ光源４２１からの光が反射板４８で反射させることで、ＬＥＤ光源４２１からの光は、拡散領域によって拡散される。これによって、拡散領域において、ＬＥＤ光源４２１からの光を内部拡散させて、柔らかい光で広い面積を照らすことができるようになっている。なお、拡散板４９で反射したＬＥＤ光源４２１からの光は、透光防止板４７でブロックされて、上方には向かわないようになっている。
【００４２】
（変形例）
本実施形態によれば、セード４１内において、電源回路４３が、ＬＥＤ光源４２１の上方に配置されているが、この構成に限定されない。例えば、電源回路４３とＬＥＤ光源４２１とが横並びに配置されていてもよい。この場合であっても、電源回路４３とＬＥＤ光源４２１とが所定の間隔を空けて配置されて、電源回路４３とＬＥＤ光源４２１との間に放熱用の空間が形成されていることが好ましい。また、セード４１における電源回路４３の上部に、本実施形態と同様に、二重のリブ４５１を形成してこのリブ４５１内に電源回路４３を配置することが好ましい。更に、セード４１におけるＬＥＤ光源４２１の上部にも、二重のリブ４５１を形成すると、二重のリブ４５１の間の溝４５によって、ＬＥＤ光源４２１の放熱を行うことができ、好ましい。
【符号の説明】
【００４３】
１      スタンド型ＬＥＤ照明器具
４１    セード
４２    ＬＥＤ基板（第２の基板）
４２１  ＬＥＤ光源
４３    電源回路
４３１  電源回路基板（第１の基板）
４４    空間（放熱用の空間）
４５    溝
４５１  リブ
４５２  スリット（通気孔）
４６    点灯回路基板（第３の基板、点灯回路が搭載）
【図１】
2016091684.tif 000003
【図２】
2016091684.tif 000004
【図３】
2016091684.tif 000005
【図４】
2016091684.tif 000006
【図５】
2016091684.tif 000007
【図６】
2016091684.tif 000008